(57)【要約】【課題】路上走行の高車速で走行のときは、刈取機、及び脱穀機の回転駆動を自動停止させようとするものである。【解決手段】穀稈を刈取り、及び移送する刈取機から穀稈を引継ぎして、脱穀機内を挟持移送するフィードチェンは、メカ機構と、電気的機構とで「入」−「切」する構成において、刈取機を「始動」−「停止」操作する刈取レバー７は、副変速装置２１を副変速レバー８で「高回転」の回転駆動へ操作により、刈取レバー７を「切」へ作動する構成である。又、これら刈取レバー７と、副変速レバー８とは、リンク機構１８で接続した構成である。【選択図】図１
2004305178.tif 000002
【特許請求の範囲】
【請求項１】
穀稈を刈取り及び移送する刈取機３から穀稈を引継ぎ移送するフィードチェン５と、穀稈を挟持移送中に脱穀する脱穀機４と、フィードチェン５の回転駆動はメカ機構と、電気的機構とで「入」−「切」する構成において、刈取機３を「始動」−「停止」操作する刈取レバー７と、副変速装置２１を「高回転」〜「低回転」、及び「中立」へ切換操作する副変速レバー８等とを設けたコンバインにおいて、前記副変速装置２１を副変速レバー８の操作で「高回転」の設定に基づいて、刈取レバー７を「切」作動すべく設けたことを特徴とするコンバインの刈取レバー切換装置。
【請求項２】
前記副変速レバー８と、刈取レバー７とは、リンク機構１８を設けて接続したことを特徴とする請求項１に記載のコンバインの刈取レバー切換装置。
【発明の詳細な説明】
【０００１】
【発明の属する技術分野】
この発明は、穀稈を刈取り、及び移送する刈取機から穀稈を引継ぎして、脱穀機内を挟持移送するフィードチェンは、メカ機構と、電気的機構とで「入」−「切」する構成において、刈取機を「始動」−「停止」操作する刈取レバーは、副変速装置を副変速レバーで「高回転」の回転駆動へに操作により、刈取レバーを「切」へ作動する技術であり、コンバインの刈取レバー切換装置として利用できる。
【０００２】
【従来の技術】
コンバインで立毛穀稈の刈取り収穫作業は、このコンバインを穀稈の植付圃場を走行させて、このコンバインの前部に設けた刈取機で穀稈は刈取りされ、この刈取り穀稈は、この刈取機で後方上部へ移送され、脱穀機のフィードチェンへ供給され、このフィードチェンで引継ぎ脱穀機内を挟持移送中に脱穀され、脱穀済み穀粒は、この脱穀機で揚穀されて、穀粒貯留タンク内へ供給され、一時貯留される。
【０００３】
上述の穀稈の刈取り収穫作業中の前記フィードチェンの停止制御は、後述の如く行われる。
特に、特開平８−１０７７１１号公報の如く刈取装置と、穀稈搬送装置とを設けた刈取前処理装置を、下方の刈取作業位置と、上方の非刈取作業位置との間を昇降自在に設け、フィードチェンを駆動する駆動スプロケットは、フィードチェンクラッチを介して、伝動可能にして伝動ケースへ軸支させて設け、フィードチェンクラッチと、伝動ケースの外側へ装着した制御モータとを連動装置によって「入」−「切」操作可能に連結して設け、制御モータは、刈取前処理装置が非刈取作業位置方向へ上昇移動すると、フィードチェンクラッチは切り作動されて、脱穀機のフィードチェンは自動停止される。
【０００４】
又、前記刈取前処理装置を「始動」−「停止」操作する刈取レバーと、副変速装置を「高速」−「低速」、及び「中立」へ切換操作する副変速レバー等とを設け、これら各レバーは接続させない構成であった。
【０００５】
【特許文献１】
特開平８−１０７７１１号公報
【０００６】
【発明が解決しようとする課題】
脱穀機のフィードチェンの回転動力を、メカ機構と、電気的機構とで「入」−「切」する構成でないことにより、穀稈を刈取り作業開始のときに、圃場の四隅を手取りした刈取り穀稈を脱穀するときの脱穀作業が容易でなかったり、又は路上走行のときの高速走行の車速時でも、刈取前処理装置（刈取機）を自動停止制御されないことにより、刈取り収穫作業ができることで、危険であったが、この発明により、これらの問題点を解決しようとするものである。
【０００７】
【課題を解決するための手段】
このために、この発明は、請求項１に記載の発明においては、穀稈を刈取り及び移送する刈取機３から穀稈を引継ぎ移送するフィードチェン５と、穀稈を挟持移送中に脱穀する脱穀機４と、フィードチェン５の回転駆動はメカ機構と、電気的機構とで「入」−「切」する構成において、刈取機３を「始動」−「停止」操作する刈取レバー７と、副変速装置２１を「高回転」〜「低回転」、及び「中立」へ切換操作する副変速レバー８等とを設けたコンバインにおいて、前記副変速装置２１を副変速レバー８の操作で「高回転」の設定に基づいて、刈取レバー７を「切」作動すべく設けたことを特徴とするコンバインの刈取レバー切換装置としたものである。
【０００８】
コンバインで立毛穀稈の刈取り収穫作業は、このコンバインを穀稈の植付圃場を走行させて行うが、走行開始の前段で、走行車速を刈取収穫作業の標準車速か、又は低車速かに、副変速装置２１を副変速レバー８の操作により、穀稈の収穫作業車速である標準車速か、又は低車速かを設定操作すると共に、コンバインの前端部に設けた刈取機４を始動操作する刈取レバー７を「入」操作して、刈取機３を始動させる。この始動操作に連動して、脱穀機４も始動される。この始動操作のときには、脱穀機４のフィードチェン５の回転駆動は、メカ機構で回転始動される。
【０００９】
前記コンバインを走行操作して、穀稈の植付圃場を走行させて、このコンバインの前部に設けた刈取機３で穀稈は刈取りされ、この刈取り穀稈は、この刈取機３で後方上部へ移送され、脱穀機４のフィードチェン５へ供給され、このフィードチェン５で引継ぎ脱穀機４内を挟持移送中に脱穀され、脱穀済み穀粒は、この脱穀機４で揚送されて、穀粒貯留タンク内へ供給され、一時貯留される。
【００１０】
前述の穀稈の刈取り収穫作業の前段で、圃場の四隅を手刈取りした手刈取り穀稈を脱穀するときは、前記脱穀機４のフィードチェン５の回転駆動は、電気的機構で回転始動される。
前記副変速装置２１を変速操作する副変速レバー８の操作により、この副変速装置２１を、路上走行時の高車速の「高回転」を設定すると、この高車速の「高回転」の駆動に基づいて、刈取機３を「始動」−「停止」操作する刈取レバー７は「切」操作されて、刈取機３の回転駆動は停止される。この停止に連動して、脱穀機４の回転駆動も停止される。
【００１１】
請求項２に記載の発明においては、前記副変速レバー８と、刈取レバー７とは、リンク機構１８を設けて接続したことを特徴とする請求項１に記載のコンバインの刈取レバー切換装置としたものである。
前記副変速装置２１を変速操作する副変速レバー８の操作により、この副変速装置２１の回転を、路上走行時の高車速の「高回転」を設定すると、この高車速の「高回転」へこの副変速レバー８の操作により、この副変速レバー８と、刈取機３を「始動」−「停止」操作する刈取レバー７とは、リンク機構１８によって接続した構成であり、このために、刈取レバー７は、刈取機３を「停止」させる側へ回動操作されて、この刈取機３の回動駆動は停止される。この停止に連動して、脱穀機４の回転駆動も停止される。
【００１２】
【発明の効果】
請求項１に記載の発明においては、穀稈を脱穀する脱穀機４内を穀稈を挟持移送するフィードチェン５の回転駆動は、メカ機構と、電気的機構とで「入」−「切」する構成である。又、穀稈を刈取り、及び移送する刈取機３を「始動」−「停止」操作する刈取レバー７は、副変速装置２１を「高回転」〜「低回転」、及び「中立」へ切換操作する副変速レバー８の「高回転」の操作により、刈取レバー７は、「切」作動されることにより、路上走行車速である高車速を設定したときには、自動的に刈取機３の回転駆動は停止されて、刈取り作業車速でないと、この刈取機３は回転駆動されないことにより、安全な穀稈の刈取り収穫作業ができる。
【００１３】
請求項２に記載の発明においては、前記副変速レバー８と、刈取レバー７とは、リンク機構１８を設けて接続したことにより、簡単な構成で副変速レバー８の操作に連動して、刈取レバー７を「切」作動することができる。
【００１４】
【発明の実施の形態】
以下、本発明の一実施例を図面に基づいて説明する。
コンバイン１の走行車台２の前方部に設けた刈取機３で刈取られた刈取り穀稈は、この刈取機３で後方上部へ移送され、走行車台２の上側へ載置した穀稈を脱穀する脱穀機４のフィードチェン５と、上下回動自在な挟持杆６とへ供給され、これらフィードチェン５と、挟持杆６とで脱穀機４内を挟持移送中に脱穀される構成である。又、フィードチェン５の回転駆動は、メカ機構と、電気的機構とで「入」−「切」する構成である。更に刈取機３を「始動」−「停止」させるときに操作する刈取レバー７と、副変速装置２１を「高回転」〜「低回転」、及び「中立」へ切換えるときに操作する副変速レバー８とを設けた構成である。この副変速装置２１を副変速レバー８の操作で、路上走行時の高車速である「高回転」の設定に基づいて、刈取レバー７を「切」作動すべく設けた構成である。脱穀機４のフィードチェン５、及び挟持杆６の構成、及びフィードチェン５の作用と、刈取レバー７と、副変速レバー８との構成、及び作用を主に図示して説明する。
【００１５】
前記コンバイン１の走行車台２の下側には、図５で示す如く土壌面を走行する左右一対の走行クローラ９ａを張設した走行装置９を配設し、走行車台２の上側には、脱穀機４を載置した構成である。走行車台２の前方部の刈取機３で立毛穀稈を刈取りし、この刈取り穀稈は、この刈取機３で後方上部へ移送され、脱穀機４のフィードチェン５と、移送始端部側で、脱穀機４の前機壁へ前方へ突出させて設けた支持板６ａへ支持ピン６ｂで上下回動自在に支持させて設けた挟持杆６と、移送終端部側に設けた後挟持杆１６ｃとで引継ぎされて、挟持移送されながら脱穀される。脱穀済みで選別済み穀粒は、脱穀機４の右横側に配設した穀粒貯留タンク１０内へ一時貯留される。
【００１６】
前記走行車台２の前方部には、図５で示す如く前端位置から立毛穀稈を分離するナローガイド１１ａ、及び各分草体１１ｂと、立毛穀稈を引起す各引起装置１１ｃと、引起された穀稈を掻込みする穀稈掻込移送装置１２の各掻込装置１２ａと、掻込された穀稈を刈取る刈刃装置１１ｄと、刈取りされた穀稈を挟持移送して、脱穀機４のフィードチェン５と、挟持杆６とへ受渡しする穀稈掻込移送装置１２の根元・穂先移送装置１２ｂ，１２ｃ等からなる刈取機３を設けている。該刈取機３は、油圧駆動による伸縮シリンダ１３により、土壌面に対して、昇降自在に移動する構成である。
【００１７】
前記刈取機３の前方下部から後方上部へ傾斜する支持杆１４ａの上端部には、左右方向の支持パイプ杆１４ｂを設け、この支持パイプ杆１４ｂを走行車台２の上側面に設けた支持装置１４ｃで回動自在に支持させて、伸縮シリンダ１３の作動により、刈取機３は支持パイプ杆１４ｂを回動中心として、上下に回動する構成である。
【００１８】
前記刈取機３の穀稈掻込移送装置１２によって形成される穀稈移送経路中には、刈取られて移送される穀稈に接触作用することにより、脱穀機４へ穀稈の供給の有無を検出する穀稈センサ３ａを設けた構成である。
前記穀粒貯留タンク１０側の前部には、図５で示す如くコンバイン１を始動、停止、及び各部を調節等の操作を行う制御装置１７を内装した操作装置１５と、これら操作を行う作業者が搭乗する操縦席１５ａとを設け、この操縦席１５ａの下側で、走行車台２の上側面には、エンジン１９を載置すると共に、後方部には、穀粒貯留タンク１０を配設する。これら走行装置９と、刈取機３と、脱穀機４と、エンジン１９等により、コンバイン１の機体１ａを形成した構成である。
【００１９】
前記操作装置１５には、図１〜図３、及び図５で示す如く本発明に関連する部品のみを図示して説明する。この操作装置１５には、刈取機３を「始動」−「停止」させるときに操作する回動自在に各種の刈取レバー７と、副変速装置２１の変速伝動ケース２１ａへ内装した伝動機構２１を、路上走行時の走行車速の「高回転」と、穀稈を刈取る作業時の標準作業時の標準車速の「標準回転」と、低作業時の低車速の「低回転」と、「中立」とに切換のときに操作する副変速レバー８と、脱穀機４を「始動」−「停止」させるときに操作する脱穀レバー１６ａと、主変速レバー１６ｂ等とを設けると共に、ＯＮ−ＯＦＦスイッチ方式の刈取自動停止スイッチ１６ｃと、刈取機３を所定高さ位置へ上昇させるときに操作するオートリフトスイッチ１６ｄ等を設けた構成である。
【００２０】
前記脱穀レバー１６ａは、図１〜図３で示す如くこの脱穀レバー１６ａのみを単独で回動操作して、脱穀機４を「始動」−「停止」操作できると共に、脱穀レバー１６ａと、刈取レバー７とは、重合状態に設けた構成であり、この刈取レバー７の回動作動により、脱穀レバー１６ａも同時に回動作動される構成である。
【００２１】
前記刈取自動停止スイッチ１６ｃと、オートリフトスイッチ１６ｄとを「ＯＮ」操作すると、この「ＯＮ」操作が制御装置１７へ入力されて、この入力により、制御装置１７で刈取機３と、脱穀機４のフィードチェン５との両者の作動は、自動停止制御される構成である。
【００２２】
図３で示す如く前記走行車台２の前端部に装架した走行用のミッションケース２０内の伝動機構２０ａの伝動経路中には、その出力に基づいて、走行車速を検出するポテンションメータ方式の車速センサ２０ｂを設けた構成である。又、ミッションケース２０の横側には、副変速装置２１を設け、この副変速装置２１は、伝動機構２１ｂを内装した変速伝動ケース２１ａ等よりなるを設けた構成である。
【００２３】
前機脱穀機３の穀稈を移送する移送始端部側には、圃場の四隅を枕刈りした穀稈を脱穀するときに操作する。図５で示す如く上下回動自在に挟持杆６を設けた構成である。この挟持杆６の上下回動操作により、この挟持杆６により、「ＯＮ」−「ＯＦＦ」されるＯＮ−ＯＦＦスイッチ方式の回動用スイッチ４ａを脱穀機３の入口側の上部に設けた構成である。脱穀機３は、フィードチェン５以外は、図４で示す如くエンジン１９の回転動力が直接入力されて、回転駆動される構成である。又、フィードチェン５は、変速伝動ケース２１ａから回転動力が入力されて、回転駆動される構成である。
【００２４】
前記刈取機３と、脱穀機４と、フィードチェン５と、走行装置９とは、図４で示す如く回転駆動される構成である。又、油圧式無段変速装置２６は、油圧ポンプ２７と、油圧モータ２８とよりなる構成である。
前記脱穀機４の伝動は、図４で示す如く、エンジン１９のエンジン軸１９ａへ軸支して設けた三本溝のエンジンプーリ１９ｂと、カウンタ軸２２へ軸支した外プーリ２２ａとには、脱穀ベルト１９ｃを掛け渡した構成である。又、脱穀機４の送風機用の送風軸２３へ軸支した外送風プーリ２３ａと、カウンタ軸２２へ軸支した内プーリ２２ｂとには、ベルト２３ｂを掛け渡した構成である。送風軸２３へ軸支した内装風プーリ２３ｃと、揺動装置の揺動軸２４へ軸支した揺動プーリ２４ａとには、ベルト２４ｂを掛け渡した構成であり、脱穀機４の各部が回転駆動される構成である。
【００２５】
前記脱穀レバー１６ａは、図４で示す如く支持軸７ｃで軸支し設けた支持ボス３１ａを装着すると共に、脱穀レバー１６ａには、支持アーム３１ｂを設けた構成である。エンジンプーリ１９ｂと、外プーリ２２ａとに掛け渡した脱穀ベルト１９ｃ部には、この脱穀ベルト１９ｃを緊張、弛緩させる脱穀テンション装置３１ｃを回動自在に設け、この脱穀テンション装置３１ｃと、支持アーム３１ｂとは、スプリング３１ｅと、ワイヤー３１ｄとで接続させた構成である。
【００２６】
前記脱穀レバー１６ａの「入」−「切」操作により、脱穀テンション装置３１ｃが「入」−「切」され、脱穀機４を駆動用の脱穀ベルト１９ｃが緊張、又は弛緩されて、脱穀機４は回転駆動、又は停止される構成である。
前記走行装置の伝動は、図４で示す如くエンジン１９のエンジン軸１９ａへ軸支したエンジンプーリ１９ｂと、油圧式無段変速装置２６の油圧プーリ２６ａとには、油圧ベルト１９ｄを掛け渡した構成である。主変速レバー１６ｂの操作により、油圧式無段変速装置２６で変速された回転動力は、副変速装置２１の変速伝動ケース２１ａの伝動機構２１ｂからミッションケース２０の伝動機構２０ａへ入力されて、左右両側の走行車軸９ｂの走行スプロケット９ｃが回転駆動されて、左右両側の走行クローラ９ａが変速回転駆動されて、所定の走行車速で走行する構成である。
【００２７】
前記刈取機３の伝動は、図４で示す如くミッションケース２０の伝動機構２０ａの出力軸２０ｃへ軸支したプーリ２０ｄと、刈取機３の支持パイプ杆１４ｂで軸支した伝動軸１４ｄへ軸支したワンウェイクラッチを有するプーリ１４ｅとには、刈取ベルト１４ｆを掛け渡した構成である。
【００２８】
前記刈取レバー７は、支持ボス７ａへ設け、この支持ボス７ａは支持軸７ｃで軸支した構成である。支持ボス７ａには、支持アーム７ｂを設け、この支持アーム７ｂと、ワイヤー受具２５に設けた支持アーム２５ｂとは、連結杆２９で接続した構成である。ワイヤー受具２５には、回動自在に刈取テンション装置２５ａを設け、この刈取テンション装置２５ａで刈取ベルト１４ｆを緊張、及び弛緩させる構成である。
【００２９】
前記刈取レバー７の「入」−「切」操作により、刈取テンション装置２５ａが「入」−「切」され、刈取機３を駆動用の刈取ベルト１４ｆが緊張、又は弛緩されて、刈取機３は回転駆動、又は停止される構成である。この刈取レバー７の「入」により、脱穀レバー１６ａも「入」されて、脱穀機４は駆動される構成である。
【００３０】
前記脱穀機４のフィードチェン５の伝動は、図４で示す如く副変速装置２１の変速伝動ケース２１ａへ内装した伝動機構２１ｂの出力軸２１ｃへ軸支したプーリ２１ｄと、チェンケース３０へ内装した伝動機構３０ａの入力軸３０ｂへ軸支したワンウェイクラッチを有するプーリ３０ｃとには、チェンベルト３０ｄを掛け渡した構成である。このチェンベルト３０ｄ部には、このチェンベルト３０を緊張、及び弛緩する回動自在なチェンテンション装置３４を設けた構成である。
【００３１】
前記チェンケース３０の伝動機構３０ａの出力軸５ａには、前チェンスプロケット５ｂを軸支して設け、この前チェンスプロケット５ｂには、フィードチェン５を掛け渡した構成である。伝動機構３０ａには、クラッチ３６を設けた構成である。
【００３２】
前記ワイヤー受具２５と、チェンテンション装置３４とは、ワイヤー３４ａで接続した構成である。刈取レバー７の「入」−「切」操作により、チェンベルト３０ｄが緊張、又は弛緩されて、チェンケース３０の伝動機構３０ａへ変速伝動ケース２１ａの伝動機構２１ｂの回転動力が、入力、又は停止される構成である。
【００３３】
前記刈取レバー７の支持ボス７ａの端部に固着したアーム３２の先端部には、ピン３２ａを設け、このピン３２ａには、ワイヤー受具３３をスプリング３３ａを介して装着した構成である。このワイヤー受具３３と、モータ３５のモータ軸３５ａへ軸支したアーム３５ｂの先端部とは、ワイヤー３５ｃで接続した構成である。アーム３５ｂの前端部に設けた各連結ロット３５ｄと、チェンケース３０の伝動機構３０ａに設けたクラッチ３６とは、接続した構成である。
【００３４】
前記フィードチェン５は、刈取レバー７の「入」−「切」の操作のメカ機構で、連結杆２９、ワイヤー受具２５、ワイヤー３５ｃ、アーム３５ｂ、各連結ロット３５ｄ等を介して、クラッチ３６が「入」−「切」され、フィードチェン５は、メカに回転駆動、又は停止される構成である。又、挟持杆６の上下回動操作で、回動用スイッチ４ａの「ＯＮ」−「ＯＦＦ」の電気的機構で、この回動用スイッチ４ａの「ＯＮ」−「ＯＦＦ」が制御装置１７のＣＰＵ１７ａへ入力され、このＣＰＵ１７ａにより、モータ３５が「ＯＮ」−「ＯＦＦ」され、モータ軸３５ａ、アーム３５ｂ、各連結ロット３５ｄ等を介して、クラッチ３６が「入」−「切」されて、フィードチェン５は、電気的に回転駆動、又は停止される構成である。
【００３５】
前記刈取機３を「始動」−「停止」操作する刈取レバー７の下部の折曲部は、図１〜図３で示す如く支持軸７ｃで回動自在に軸支した支持ボス７ａへ装着した支持板７ｄへ挿入して、設けた構成である。
前記副変速装置２１の変速伝動ケース２１ａへ内装した伝動機構２１ｂを切換操作する副変速レバー８は、図１〜図３で示す如く支持軸８ｂには、副変速レバー８を固着した支持ボス８ａを回動自在に軸支して設けた構成である。
【００３６】
前記副変速レバー８と、刈取レバー７とは、図１〜図３で示す如くリンク機構１８で接続した構成である。このリンク機構１８は、刈取レバー７の支持板７ｄへ取付ピン１８ｆで一方側を装着した接続杆１８ａの他方側と、支持軸８ｂで回動自在に軸支した接続板１８ｂの一方側とは、接続ピン１８ｅで接続した構成である。又、接続板１８ｂの他方側には、Ｌ字形状の受板１８ｃを固着して設け、この受板１８ｃには、調節用ボルト１８ｄを螺挿入して、副変速レバー８の調節位置を調整できる構成である。
【００３７】
前記副変速レバー２１の変速伝動ケース２１ａの伝動機構２１ｂを、副変速レバー８の操作により、「高回転」位置へ切換操作により、この操作に連動して、刈取機３を「始動」−「停止」操作するときに、操作する刈取レバー７は、リンク機構１８により、「切」側へ回動作動される構成である。これにより、刈取機３は自動停止される構成であると共に、この自動停止に連動して、脱穀レバー１６ａも「切」側へ回動作動される構成である。これにより、脱穀機４も自動停止される構成である。
【００３８】
前記操作装置１５に設けた刈取自動停止スイッチ１６ｃと、オートリフトスイッチ１６ｄとの両者を「ＯＮ」操作しなくても、刈取機３と、脱穀機４とを自動停止できる構成である。
穀稈を脱穀する前記脱穀機４内を穀稈を挟持移送するフィードチェン５の回転駆動は、メカ機構と、電気的機構とで「入」−「切」する構成において、穀稈を刈取り、及び移送する刈取機３を「始動」−「停止」操作する刈取レバー７は、副変速装置２１を「高回転」〜「低回転」、及び「中立」へ切換操作する副変速レバー８の「高回転」への操作により、刈取レバー７は、「切」作動されることにより、路上走行車速である高車速を設定したときには、自動的に刈取機３の回転駆動は停止されて、刈取り作業車速でないと、この刈取機３は回動駆動されないことにより、安全な穀稈の刈取り作業ができる。又、脱穀機４も同時に停止されることにより、操作が簡単である。
【００３９】
前記副変速レバー８と、刈取レバー７とは、図１〜図３で示す如くリンク機構１８を設けて、このリンク機構１８により、接続させた構成である。
前記副変速レバー８と、刈取レバー７とは、リンク機構１８を設けて接続したことにより、簡単な構成で副変速レバー８の操作に連動して、刈取レバー７を「切」作動することができる。
【００４０】
前記穀粒貯留タンク１０内に貯留した穀粒を機外へ排出するこの穀粒貯留タンク１０の後側には、縦移送螺旋３７ａを内装した排出支持筒３７を略垂直姿勢で旋回自在に装着して設け、この排出支持筒３７の上端部には、その全長がコンバイン１の前後長に亘る機外へ穀粒を排出する排出螺旋３８ａを伸縮自在に内装した排出オーガ３８を伸縮自在、上下回動自在、及び左右旋回自在に前後方向に配設した構成である。
【００４１】
前記刈取機３を昇降させる伸縮シリンダ１３の後部側を装着する走行車台２の前枠２ａの前側面には、図６、及び図７で示す如く左・右取付板２ｂ，２ｃを固着して設け、これら左・右取付板２ｂ，２ｃの下側面には、補強板２ｄを固着して設けた構成である。
【００４２】
前記左・右取付板２ｂ，２ｃには、図６、及び図７で示す如く前後方向に各長孔２ｅを設け、伸縮シリンダ１３の後部側の取付孔と、この各長孔２ｅとへ取付用ピン（図示せず）を挿入して、伸縮シリンダ１３の後部側を装着した構成である。
【００４３】
これにより、前記刈取機３を最上部へ上昇操作して、トラックへコンバイン１の積み降ろし、又は圃場への出入りのときに、刈取機３の下部を地面へ当接させることがあったが、これにより、この刈取機３は、地面からのつき上げにより、ミッションケース２０の取付部にモーメントが発生して、このミッションケース２０の搭載位置がずれて、主変速レバー１６ｂの「中立」位置のずれが発生することがあったが、これを解決するために、伸縮シリンダ１３の後部側の取付部を長孔２ｅとしたことにより、これらの問題の解決ができた。又、この伸縮シリンダ１３の取付も容易になった。
【００４４】
前記刈取機３の支持杆１４と、走行車台２の前枠２ａに設けた取付板４１とで支持して、刈取機３を昇降させる伸縮シリンダ１３は、図８〜図１１で示す如く刈取機３の中心位置により、左側へ寄せて装着した構成においては、伸縮シリンダ１３の前部の前取付杆１３ｂは、刈取機３の支持杆１３ｂへ装着すると共に、後部は、伸縮シリンダ１３の後支持ボス１３ａを、走行車台２の取付板４１へ装着した構成である。
【００４５】
前記走行車台２の前枠２ａに設けたコ字形状の取付板４１は、図８〜図１０で示す如く取付部の巾（Ｌ２）に形成して、伸縮シリンダ１３の後支持ボス１３ａの巾（Ｌ１）より、所定巾広く形成した構成である。又、取付板４１の左右両側に設ける取付用の孔は、前後方向に長孔４１ａに形成して設けた構成であり、刈取機３を伸縮シリンダ１３で上昇させたときに、発生するずれ角度（θ）により、こぜが発生するが、このこぜを防止する構成である。４２は取付用ピンである。
【００４６】
これにより、前記伸縮シリンダ１３の後側の取付用の後支持ボス１３ａの巾（Ｌ１）より、走行車台２に設けた取付板４１の取付部の巾（Ｌ２）を広巾にしたことにより、刈取機３を伸縮シリンダ１３で上昇させるときに発生するずれ角度（θ）により、こぜが発生するが、これを防止できて、刈取機３の上昇がスムーズである。又、取付板４１の取付孔を長孔４１ａとしたことにより、この伸縮シリンダ１３の組付けが容易である。
【００４７】
前記フィードチェン５は、図１１で示す如くミッションケース２０の左側には、伝動機構３９ｆを内装した迂回ケース３９を設け、この迂回ケース３９の左側には、伝動軸３９ｂを内装した支持ケース３９ａを設けた構成である。伝動軸３９ｂの外端部には、出力プーリ３９ｃを軸支した構成であり、この出力プーリ３９ｃと、チェン伝動ケース４０に設けた入力プーリ３９ｄとには、ベルト３９ｅを掛け渡して、チェン伝動ケース４０へ回動動力が入力される構成である。
【００４８】
前記チェン伝動ケース４０の出力軸４０ａには、駆動スプロケット４０ｂを軸支した構成である。この駆動スプロケット４０ｂと、前チェンスプロケット５ｂと、テンションプーリ４０ｃとには、フィードチェン５を掛け渡した構成であり、このフィードチェン５が回転駆動される構成である。
【００４９】
前記ナローガイド１１ａには、図１２、及び図１３で示す如く左右ガイド杆１１ｅを設けると共に、この左右ガイド杆１１ｅの外周下側には、取付板１１ｆを固着して設けた構成である。
前記走行車台２の上側面には、図１２、及び図１３で示す如くナローガイド１１ａの左右ガイド杆１１ｅに設けた取付板１１ｆを取付する受板４３を固着して設け、この受板４３へ左右ガイド杆１１ｅの取付板１１ｆを取付用ボルト４３ａと、ナット４３ｂとにより、装着した構成である。このナット４３ｂの締付けを弛めることにより、左右ガイド杆１１ｅを介してナローガイド杆１１ａは、取付用ボルト４３ａを回動中心として、上下に回動自在な構成である。刈取る穀稈の稈長、及び倒伏状態により、ナローガイド１１ａの上下位置を調節できる構成である。
【００５０】
これにより、前記ナローガイド１１ａの左右ガイド杆１１ｅを介して上下回動する回動中心を、フィードチェン５を回動駆動するベルト３９ｅの下方部で、走行車台２の上部に設けたことにより、このベルト３９ｅへ左右ガイド杆１１ｅの当接を防止できる。又、フィードチェン５の伝動機構が簡単である。更にナローガイド１１ａの上下調節が容易である。
【図面の簡単な説明】
【図１】副変速レバーと、刈取レバーとの接続部の拡大側面図
【図２】副変速レバーと、刈取レバーとの接続部の拡大平面図
【図３】副変速レバーと、刈取レバーとの接続部の拡大側面図
【図４】コンバインの一部の拡大伝動機構図
【図５】コンバインの左側部の全体側面図
【図６】他の実施例を示す図で、走行車台部の拡大側面斜視図
【図７】他の実施例を示す図で、伸縮シリンダの取付部の拡大側面斜視図
【図８】他の実施例を示す図で、走行車台部の拡大側面斜視図
【図９】他の実施例を示す図で、伸縮シリンダの取付部の拡大平面図
【図１０】他の実施例を示す図で、伸縮シリンダの取付部の拡大平面図
【図１１】他の実施例を示す図で、迂回ケース部と、フィードチェン部の拡大側面斜視図
【図１２】他の実施例を示す図で、ナローガイドの上下回動部の拡大正面図
【図１３】他の実施例を示す図で、ナローガイドの上下回動部の拡大平面図
【符号の説明】
３    刈取機
４    脱穀機
５    フィードチェン
７    刈取レバー
８    副変速レバー
１８    リンク機構
２１    副変速装置
【図１】
2004305178.tif 000003
【図２】
2004305178.tif 000004
【図３】
2004305178.tif 000005
【図４】
2004305178.tif 000006
【図５】
2004305178.tif 000007
【図６】
2004305178.tif 000008
【図７】
2004305178.tif 000009
【図８】
2004305178.tif 000010
【図９】
2004305178.tif 000011
【図１０】
2004305178.tif 000012
【図１１】
2004305178.tif 000013
【図１２】
2004305178.tif 000014
【図１３】
2004305178.tif 000015